(57)【要約】【課題】  サイズに制約のある表示画面上においても、ユーザが設定項目の内容を視認でき、容易に設定を変更可能にする。【解決手段】  デジタルカメラに表示部を設け、メニューボタンの操作に従い、撮影モードの画質、測光方式などが文字情報や記号、図形で表示される一連の設定項目で構成されるメニューを表示部に全体表示させる。そして、ズームレバーのテレ側部に対する操作に従い、複数の設定項目が同時に表示される通常表示から、バーＬＢに囲まれている選択された設定項目を液晶表示部３０の画面全体に表示する拡大表示へ切り替える。逆に、ズームレバーのワイド側に対する操作に従い、拡大表示を通常表示へ切り替える。【選択図】        図４
2005101958.tif 000002
【特許請求の範囲】
【請求項１】
キャラクタ情報を表示可能な表示部と、
キャラクタ情報であってそれぞれ使用者によって設定可能な一連の設定項目により構成されるメニューを前記表示部に一覧表示するとともに、前記一連の設定項目の中から選択された設定項目を前記表示部全体に拡大表示可能な表示手段と、
通常表示と拡大表示を切り替え可能な切換手段と
を備えたことを特徴とする携帯型電子機器。
【請求項２】
前記一連の設定項目が、設定変更可能な特性をもつ項目と、メニュー内容を代表的に示す項目とを含むことを特徴とする請求項１に記載の携帯型電子機器。
【請求項３】
前記一連の設定項目の中で特定の設定項目を配列順序に従って選択するための選択部材をさらに有し、
前記表示手段が、拡大表示状態において、前記一連の設定項目の中で所定の設定項目から隣接する設定項目への移行をスクロール表示可能であることを特徴とする請求項１に記載の携帯型電子機器。
【請求項４】
前記表示手段が、前記表示画像の一部である画像領域と前記隣接画像の一部であって前記画像領域と連続的な移動領域を合成したスクロール画像を生成・表示し、前記スクロール画像を表示画像として繰り返しスクロール画像を生成・表示することを特徴とする請求項３に記載の携帯型電子機器。
【請求項５】
前記表示手段が、表示画像を３画像分格納可能なメモリを有し、
第１格納領域に前記表示画像を、第２格納領域に前記隣接画像を、第３格納領域に前記スクロール画像を格納し、繰り返し生成されるスクロール画像を前記第３格納領域に順次格納するとともに、前記表示画像として前記第１格納領域に順次格納することを特徴とする請求項４に記載の携帯型電子機器。
【請求項６】
前記表示手段が、前記表示部において、前記一連の設定項目を上下方向にスクロール表示させることを特徴とする請求項３に記載の携帯型電子機器。
【請求項７】
前記携帯型電子機器がズームレンズおよび前記ズームレンズを操作するためのズームレバーを備えたデジタルカメラであり、
前記切換手段が前記ズームレバーを含み、
前記表示手段が、前記ズームレバーの望遠側への操作に従って通常表示から拡大表示へ切り替え、前記ズームレバーの広角側への操作に従って拡大表示から通常表示へ切り替えることを特徴とする請求項１に記載の携帯型電子機器。
【請求項８】
キャラクタ情報を表示可能な表示部と、
キャラクタ情報であってそれぞれ使用者によって設定可能な一連の設定項目により構成されるメニューを前記表示部に一覧表示するとともに、前記一連の設定項目の中から選択された設定項目を前記表示部全体に拡大表示可能な表示手段とを備え、
前記表示手段が、通常表示と拡大表示を切り替える切換手段に対する操作に従って、通常表示もしくは拡大表示することを特徴とする携帯型電子機器用表示装置。
【発明の詳細な説明】
【技術分野】
【０００１】
本発明は、文字や記号などのキャラクタ情報を表示可能であるとともに、表示領域全体のサイズに制約のあるデジタルカメラ、ＰＤＡ、カメラ付携帯電話等の携帯型電子機器に関する。特に、表示画面の中に一連の設定項目から構成されるメニューを表示し、メニューの中から特定の項目を選択して機器の機能等をユーザが設定することが可能な携帯型電子機器に関する。
【背景技術】
【０００２】
通常の電子機器では、ＬＣＤ等の表示部にメニューを表示させ、ユーザは変更したい項目を選んで設定変更することができる。例えば、デジタルカメラの場合、設定メニュー画面を表示させ、撮影モードあるいは再生モードなどを選択し、メニューの中から所定の項目（例えば、画質、測光方式）を選んで設定内容を変更する。また、画面に表示されるメニュー内容を、必要に応じて変更することもできる（例えば、特許文献１参照）。
【特許文献１】特開平１１−８８８１３号公報（図５、図６）
【発明の開示】
【発明が解決しようとする課題】
【０００３】
表示画面のサイズに制約のある携帯型電子機器では、複数の設定項目を一画面に表示させた場合、各設定項目の文字フォントサイズやアイコンのサイズが小さく、視認するのが難しい。そのため、設定項目を選んで設定変更しようとしても、視認性の悪さから設定変更するのに困難を伴う。
【課題を解決するための手段】
【０００４】
このような課題を解決する本発明に係る携帯型電子機器は、サイズに制約のある表示画面上においても、ユーザが簡単に設定項目の内容を変更可能にする電子機器であり、例えば、デジタルスチルカメラ、デジタルムービーカメラ、ＰＤＡ、カメラ付き携帯電話等が電子機器として適用される。
【０００５】
電子機器は、キャラクタ情報を表示可能な表示部と、キャラクタ情報であってそれぞれ使用者によって設定可能な一連の設定項目により構成されるメニューを表示部に一覧表示するとともに、一連の設定項目の中から選択された設定項目を表示部全体に拡大表示可能な表示手段と、通常表示と拡大表示を切り替え可能な切換手段とを備えたことを特徴とする。例えば、一連の設定項目の中で特定の設定項目を配列順序に従って選択するための選択部材が設けられ、表示手段は、選択部材に対する操作に従って特定の設定項目を順番に拡大表示すればよい。ただし、ここでのキャラクタ情報は、文字情報や記号、アイコンなどの図形で表される情報を含む。キャラクタ情報として表示される一連の設定項目は、例えば、設定変更可能な特性をもつ項目と、メニュー内容を代表的に示す項目とを含む。デジタルカメラの場合、撮影に関する項目（画質、測光方式、コントラスト、ホワイトバランス）や、再生表示に関する項目などが該当する。一連の設定項目は、通常表示の場合、例えば表示部の上下方向に並んで表示される。代表的項目は、例えば、撮影モード、再生モードなどが該当する。
【０００６】
携帯機器に設けられる表示部のサイズは制約があり、俯瞰図的な全体構成を示す画像を、設定項目と同時に表示することが難しい。特に、拡大表示状態においては、選択した設定項目がメニュー全体の中でどの位置にあるか判断しづらい。そのため、表示手段は、一連の設定項目をスクロール表示するようにしてもよい。拡大表示状態の場合、表示手段は、一連の設定項目の中で所定の設定項目から隣接する設定項目への移行をスクロール表示するのがよい。例えば、表示手段は、表示部において、一連の設定項目を上下方向にスクロール表示させる
【０００７】
スクロール表示の処理に関しては、RAM(メモリ)容量の制限、表示部のサイズの制約等を考慮し、パーソナルコンピュータとは異なる処理動作でスクロール表示をするのがよい。そのため、表示手段は、表示部に表示されている表示画像から選択されて次に表示されるべき隣接画像へ移行する過程での遷移状態を示すように、表示画像の一部である画像領域と隣接画像の一部であって画像領域と連続的な移動領域を合成したスクロール画像を生成・表示し、スクロール画像を表示画像として繰り返しスクロール画像を生成・表示する。電子機器に設けられるメモリの容量には制約があることから、表示手段が、表示画像を３画像分格納可能なメモリを有し、第１格納領域に表示画像を、第２格納領域に隣接画像を、第３格納領域にスクロール画像を格納し、繰り返し生成されるスクロール画像を第３格納領域に順次格納するとともに、表示画像として第１格納領域に順次格納するのがよい。
【０００８】
携帯型電子機器がズームレンズおよびズームレンズを操作するためのズームレバーを備えたデジタルカメラである場合、ユーザが操作しやすいように、切換手段としてズームレバーを使用するのがよい。この場合、表示手段が、ズームレバーの望遠側への操作に従って通常表示から拡大表示へ切り替え、ズームレバーの広角側への操作に従って拡大表示から通常表示へ切り替える。
【０００９】
本発明の携帯型電子機器用表示装置は、キャラクタ情報を表示可能な表示部と、キャラクタ情報であってそれぞれ使用者によって設定可能な一連の設定項目により構成されるメニューを表示部に一覧表示するとともに、一連の設定項目の中から選択された設定項目を表示部全体に拡大表示可能な表示手段とを備え、表示手段が、通常表示と拡大表示を切り替える切換手段に対する操作に従って、通常表示もしくは拡大表示することを特徴とする。
【発明の効果】
【００１０】
サイズに制約のある表示画面上においても、ユーザが設定項目の内容を視認でき、容易に設定を変更可能にする。
【発明を実施するための最良の形態】
【００１１】
以下、図面を参照して本発明の実施形態について説明する。
【００１２】
図１は、本実施形態であるデジタルスチルカメラの背面図である。
【００１３】
デジタルスチルカメラ１０の背面１０Ｂには、ユーザによって操作される一連のボタン等が設けられており、ここでは、ズームレバー１２、表示切替ボタン１４、十字ボタン１６、実行ボタン１８、メニューボタン２０が配置されている。さらに背面１０Ｂには、被写体像を動画／静止画として表示するとともに、文字情報や記号、図形といったキャラクタ情報を表示可能な液晶表示部３０が設けられている。液晶表示部３０の上にはファインダ窓２２が設置されている。
【００１４】
液晶表示部３０には、撮影光学系（図示せず）により捉えられた被写体像を動画像として表示するとともに、画質、ホワイトバランスといった撮影機能等を設定するメニューを表示可能であり、メニューボタン２０の操作により動画像モード／メニューモードいずれかに切り替えられ、アップボタン１６Ｕ、ダウンボタン１６Ｄ，ライトボタン１６Ｒ、レフトボタン１６Ｌから構成される十字ボタン１６の操作により撮影機能等が設定される。また、表示切替ボタン１４を操作することにより、記録した画像が液晶表示部３０において再生表示される。撮影時には、カメラ上面１０Ｕに設けられたレリーズボタン１３が操作されることにより、被写体像が記録される。また、カメラ１０はズームレンズ（図示せず）を備えており、ズームレバー１２のテレ側部１２Ｔ（望遠側）が押下されると望遠撮影となり、ワイド側部１２Ｗ（広角側）が押下されると広角撮影となる。
【００１５】
図２は、カメラ１０のブロック図である。
【００１６】
ＣＰＵを含むシステムコントロール回路５０はデジタルスチルカメラ１０を制御し、レリーズ半押しスイッチ１３Ａ、レリーズ全押しスイッチ１３Ｂ、実行スイッチ１８Ａ、ズームスイッチ１２Ａ、選択スイッチ１６Ａ、表示切替スイッチ１４Ａなどがシステムコントロール回路５０に接続されている。
【００１７】
動画像モードである場合、撮影光学系１３によって被写体像がＣＣＤ４０の受光面に形成されると、被写体像に応じたアナログ画像信号が発生する。ＣＣＤ４０はＣＣＤ駆動回路５２によって駆動されており、画像信号はＣＣＤ４０から読み出されてアンプ回路４２へ送られる。ＣＣＤ４０から読み出された画像信号がアンプ回路４２において増幅処理されると、Ａ／Ｄ変換器４４において、アナログの画像信号がデジタルの画像信号に変換され、画像処理回路４６に送られる。
【００１８】
画像処理回路４６では、ホワイトバランス、ガンマ補正処理などの様々な信号処理がデジタル画像信号に対して施される。処理された画像信号は、一度フレームメモリ（図示せず）に格納された後、ＬＣＤドライバ４７へ送られる。ＬＣＤドライバ４７では、送られてきた画像信号に基づき、液晶表示部３０を制御する。これにより、被写体像が液晶表示部３０に動画像として表示される。
【００１９】
被写体を撮影するためにレリーズボタン１３が半押しされると、レリーズ半押しスイッチ１３ＡがＯＮ状態となって半押し操作が検出され、焦点調整のために撮影光学系１５内のフォーカスレンズがレンズ駆動回路６４によって駆動されるとともに、カメラ前面に設けられた露出検出器６３において被写体の明るさ、被写体との距離などが検出される。レリーズボタン１３がさらに全押しされると、レリーズ全押しスイッチ１３ＢがＯＮ状態となって全押し操作が検出される。そして、システムコントロール回路５０から出力される制御信号に基いて、シャッタ２８が所定の開度で所定期間だけ開く。レンズ駆動回路６４、シャッタ２８は露出制御回路５８によって制御されており、システムコントロール回路５０からの制御信号に基いてシャッタ２８、撮影光学系１５が駆動される。
【００２０】
被写体像に応じた画像信号がＣＣＤ４０から読み出されると、アンプ回路４２、Ａ／Ｄ変換器４４、画像処理回路４６において画像信号が処理されるとともに、システムコントロール回路５０を介して記録制御回路６２へ送られる。記録制御回路６２では、画像信号に対して圧縮処理が施され、圧縮された画像信号はメモリカード６０に記録される。
【００２１】
動画像モードにおいてズームレバー１２が操作されると、ズームスイッチ１２Ａからの操作信号に基づき、システムコントロール回路５０からレンズ駆動回路６４へ制御信号が送られる。これにより、撮影光学系１５内のズームレンズが所定量光軸に沿って駆動される。
【００２２】
表示切替ボタン１４の操作により再生モードが選択された場合、表示切替スイッチ１４ＡがＯＮ状態となり、システムコントロール回路５０において再生モード選択が検出される。そして、メモリカード６０から圧縮された画像信号が読み出され、記録制御回路６２において伸張処理される。そして、画像処理回路４６を介して、ＬＣＤドライバ４７へ送られる。ＬＣＤドライバ４７では、送られてきた画像信号に基いて液晶モニタ１６を制御し、これにより、記録された被写体像が液晶表示部３０に再生表示される。
【００２３】
メニューボタン２０の操作によりメニューモードが選択された場合、メニュースイッチ２０ＡがＯＮ状態となってメニューモード選択がシステムコントロール回路５０において検出される。そして、キャラクタ情報メモリ６１からメニュー表示に応じたデータが画像処理回路４６を介してＬＣＤドライバ４７へ送られる。ＬＣＤドライバ４７は、表示すべきメニューが表示されるように液晶表示部３０を制御する。
【００２４】
後述するように、本実施形態では、メニューモードにおいて通常表示／拡大表示の切換が可能であり、メニューモード選択状態でズームレバー１２が操作されると、拡大表示あるいは通常表示の切換がシステムコントロール回路５０において検出され、通常表示または拡大表示されるように、ＬＣＤドライバ４７が液晶表示部３０を制御する。ユーザにより十字ボタン１６が操作されると、選択スイッチ１６Ａから操作信号がシステムコントロール回路５０へ送られる。検出された信号に基づき、対応するデータがキャラクタ情報メモリ６１から読み出され、選択された画面表示となるようにＬＣＤドライバ４７が液晶表示部３０を制御する。
【００２５】
メニューモードにおいて実行ボタン１８が操作されると、実行スイッチ１８ＡのＯＮ状態がシステムコントロール回路５０において検出される。システムコントロール回路５０では、検出された信号に基づき、画質やホワイトバランス調整といった撮影機能や再生機能等が設定変更される。
【００２６】
図３は、メニューモードにおける表示動作を示したフローチャートである。図４は、通常表示および拡大表示を示した図である。メニューボタン２０が押下されるとメニュー表示動作が開始される。
【００２７】
メニューボタン２０が操作されると、一連の設定項目から構成されるメニューが液晶表示部３０において通常表示される（Ｓ１０１）。すなわち、複数の設定項目が一画面において同時表示される。本実施形態では、メニューモードにおいて、撮影モード、再生モード、特殊設定モードいずれか一つ選択表示可能であり、各モードにおいて、複数の設定項目が表示される。図４には、撮影モードにおいて表示される一連の設定項目が示されており、記録サイズ、画質、ホワイトバランス、ＡＦエリア、測光方式、感度、彩度、コントラストが設定項目として挙げられている。設定変更可能な項目はバーＬＢによって囲まれており、ユーザが十字ボタン１６のボタン１６Ｕ、１６Ｄを操作することにより、選択される設定項目、すなわちバーＬＢに囲まれる項目が上下に移動する。ズームボタン１２がテレ（Ｔ）側部１２Ｔが操作されない限り、メニューは通常表示される。
【００２８】
一方、通常表示状態でズームボタン１２のＴ側部１２Ｔが押下されると、通常表示から拡大表示に切り替えられる（Ｓ１０２、Ｓ１０３参照）。すなわち、バーＬＢによって囲まれている設定項目のデータがキャラクタ情報６１から読み出され、画像処理回路４６において解像度変換処理（補間処理）される。その結果、選択された特定の設定項目が画面全体に表示される（図４参照）。拡大表示状態においてズームボタン１２のＷ側部１２Ｗが操作されない限り、メニューは拡大表示される。ズームボタン１２のＷ側部１２Ｗが操作されると、通常表示に切り替えられる（Ｓ１０４参照）。メニューボタン２０が押下されると、動画像モードに切り替わり（Ｓ１０５参照）、動画像が液晶表示部３０に表示される。
【００２９】
図５は、拡大表示状態における表示動作を示したフローチャートである。図６は、拡大表示におけるスクロール表示処理の過程を示した図である。
【００３０】
拡大表示状態においてアップボタン１６Ｕあるいはダウンボタン１６Ｄが操作された場合、一連の項目の中で今まで選択表示されていた設定項目の一つ上あるいは一つ下にある設定項目が表示されるように、拡大表示画面がスクロールされる（Ｓ２０１、Ｓ２０２参照）。
【００３１】
図６には、設定項目として「記録サイズ」から「ＡＦエリア」へ表示が移行される経過が示されている。キャラクタ情報メモリ６１には、あらかじめ３つのメモリＲＡＭ１、ＲＡＭ２、ＲＡＭ３が用意されており、ＲＡＭ１には項目「記録サイズ」の表示に応じたデータが格納され、ＲＡＭ２には項目「ＡＦエリア」の表示に応じたデータが格納される。ＲＡＭ１に格納されたデータに基づいて項目「記録サイズ」を拡大表示している状態でダウンボタン１６Ｄが操作されると、以下に示すように画面表示がスクロールされる。
【００３２】
ＲＡＭ１における項目「記録サイズ」の表示画像Ｌ１に対し、全体長さＡＬに対して長さＡ１の画像領域ＡＲ１が抽出される。一方、ＲＡＭ２における項目「ＡＦエリア」の表示画像（隣接画像）Ｌ２に対し、長さＡ２の画像領域（移動領域）ＡＲ２が抽出される。そして、画像領域ＡＲ１と画像領域ＡＲ２とを合成した表示画像（スクロール画像）Ｌ３がＲＭＡ３に格納される。長さＡ１とＡ２との和は表示画像の全体長さＡＬに相当し、表示画像Ｌ３は、表示画像Ｌ１を長さＡ１分だけ下方向へスクロールさせた画像に対応する。ＲＡＭ３に格納された表示画像Ｌ３は、そのままＲＡＭ１に格納される。そして、表示画像Ｌ３のデータがシステムコントロール回路５０により読み出されることにより、表示画像Ｌ３が液晶表示部３０に拡大表示される。
【００３３】
次に、ＲＡＭ１に格納された表示画像Ｌ３のうち、長さＡ’１分の画像領域ＡＲ’１が抽出されるとともに、ＲＡＭ２に格納された表示画像Ｌ２のうち、画像領域ＡＲ２に隣接する画像領域ＡＲ’２が抽出される。そして、画像領域ＡＲ’１と画像領域ＡＲ’２とを合成した拡大表示画像Ｌ４がＲＡＭ１に格納され、液晶表示部３０に表示される。
【００３４】
このような処理を繰り返すことにより、少しずつ表示領域が下方に移動するように表示画像が表示され、最終的に項目「ＡＦエリア」の拡大表示画像Ｌ２が表示される。なお、スクロールする時の移動量に相当する長さＡ２、Ａ’２は、実際には全体長さＡＬに比べて微小である。したがって、実際に拡大表示がスクロールされる過程において、ユーザは連続的に次の設定項目へ移動していることが視認できる。
【００３５】
一方、十字ボタン１６のレフトボタン１６Ｌあるいはライトボタン１６Ｒいずれかのボタンが押下された場合、選択されている設定項目の値、方式等が表示変更される（Ｓ２０３、Ｓ２０４参照）。例えば、設定項目が「ＡＦエリア」の場合、ライトボタン１６Ｒの操作によって「ワイド」から「スポット」に表示変更される。あるいは実行ボタン１８が押下された場合、ユーザによって選択された設定項目の値、方式が設定される（Ｓ２０５、Ｓ２０６参照）。
【００３６】
以上のように本実施形態によれば、複数の設定項目が同時に表示される通常表示から、選択した設定項目だけを画面全体に表示する拡大表示へ切り替えることが可能である。こにより、ユーザは視認良好な状態で設定項目の内容を変更、設定することができる。
【００３７】
また、ズームレバー２０のワイド側（広角側）の押下によって拡大表示に切り替えられるとともに、テレ側（望遠側）の押下によって通常表示に切り替えられるように構成されている。通常表示とズームレンズのワイド側への操作、拡大表示とズームレンズのテレ側への操作がそれぞれ機能的に関連した意味をもつため、ユーザは操作を誤ることなく通常表示から拡大表示、あるいは拡大表示から通常表示へ切り替えることができる。
【００３８】
設定項目が拡大表示されている状態では、アップ、ダウンボタン１６Ｕ、１６Ｄの操作によって設定項目がスクロール表示される。これにより、ユーザは、拡大表示中においても、メニュー表示全体の中で現在選択している設定項目の位置（場所）が認識できるとともに、十字ボタン１６の操作に応じた設定項目の遷移を認識することができ、撮影機能等の設定を容易にする。
【００３９】
スクロール表示させる場合、本実施形態では、デジタルカメラなど携帯型電子機器に相応な容量をもつＲＡＭ１〜ＲＡＭ３を使用して、現在選択されている設定項目の拡大表示画像の一部と次に選択される設定項目の拡大表示画像の一部を合成させながらスクロール表示を行う。これにより、一連のメニュー表示全体のデータを容量の大きいメモリに記憶させることなくスクロール表示できる。
【００４０】
本実施形態では、拡大表示された設定項目を上下方向へスクロール表示させるように構成されているが、例えば、撮影モードから再生モードなどメニュー内容を移動する場合においても、スクロール表示させるように構成させてもよい。この場合、例えば、メニュー項目「撮影機能」が表示されている状態で、ライトボタン１６Ｒが操作されると、スクロールされながらメニュー項目「再生機能」が表示される。ただし、拡大表示画像は、図６に示すような画像の縦方向に分割される代わりに、横方向に沿って分割される。それ以外については、図６に示す処理と同じである。
【００４１】
なお、通常表示においても、一連の設定項目が同時に一画面中に収容できない場合、図６に示すようなスクロール表示動作を行うように構成してもよい。また、３つのメモリＲＡＭ１、ＲＡＭ２、ＲＡＭ３の代わりに、３画像分格納可能なメモリを用意してもよい。
【００４２】
ズームレバー２０以外のボタンによって、通常表示／拡大表示を切り替えるようにしてもよい。あるいは、所定の時間が経過すると拡大表示から通常表示に切り替えられるように構成してもよい。さらには、設定項目として「通常／拡大表示」を設け、ユーザの選択によって通常／拡大表示が切り替わるように構成してもよい。同様に、スクロール設定が可能となるように、設定項目「スクロール表示有無」を設けても良い。
【００４３】
デジタルスチルカメラ以外の携帯型電子機器（ムービーカメラ、ＰＤＡ、カメラ付携帯電話等）において、通常／拡大表示およびスクロール表示を適用してもよい。
【図面の簡単な説明】
【００４４】
【図１】本実施形態であるデジタルスチルカメラの背面図である。
【図２】カメラのブロック図である。
【図３】メニューモードにおける表示動作を示したフローチャートである。
【図４】通常表示および拡大表示を示した図である。
【図５】拡大表示状態における表示動作を示したフローチャートである。
【図６】拡大表示におけるスクロール表示処理の過程を示した図である。
【符号の説明】
【００４５】
１０  カメラ
１２  ズームレバー（切替手段）
３０  液晶表示部
４７  ＬＣＤドライバ
５０  システムコントロール回路
６１  キャラクタ情報メモリ
ＲＡＭ１  メモリ（第１格納領域）
ＲＡＭ２  メモリ（第２格納領域）
ＲＡＭ３  メモリ（格納領域）
【図１】
2005101958.tif 000003
【図２】
2005101958.tif 000004
【図３】
2005101958.tif 000005
【図４】
2005101958.tif 000006
【図５】
2005101958.tif 000007
【図６】
2005101958.tif 000008